(57)【要約】【課題】スタンパーの変更が少ない優れた光ディスクを提供する。【解決手段】複数の記録面（１０１、１０４、１０７、１１０）を有し、各記録面にウォブリングされた案内溝（１０２、１０３、１０５、１０６、１０８、１０９、１１１、１１２）が形成され、案内溝が複数の周波数でウォブリングされた光ディスクであって、案内溝の一部のウォブリング周波数が各記録面で異なる（案内溝１０２、１０５、１０８、１１１）ことにより、スタンパーの変更が少ない優れた光ディスクが得られる。【選択図】        図１
2004185664.tif 000002
【特許請求の範囲】
【請求項１】
読み出し光の入射面が同一である書き換え又は追記可能な複数の記録面を有し、前記複数の記録面上にウォブリングされた案内溝が形成され、前記案内溝がそれぞれの前記記録面毎に複数の周波数でウォブリングされた光ディスクであって、前記案内溝の前記複数の周波数のうちの少なくとも１つの周波数が前記記録面毎に異なる光ディスク。
【請求項２】
前記複数の周波数のうち、１つの周波数が前記複数の記録面で同一である請求項１に記載の光ディスク。
【請求項３】
前記複数の記録面で同一である前記１つの周波数の変化する長さの単位が１セクターである請求項２に記載の光ディスク。
【請求項４】
前記案内溝のウォブリング周波数を変更する位置が前記複数の記録面で異なる請求項１から３のいずれか１つに記載の光ディスク。
【発明の詳細な説明】
【０００１】
【発明の属する技術分野】
本発明は、光ディスクに関し、特に２つ以上の記録可能な層を有し、記録可能な層に光ピックアップからのレーザー光を制御する案内溝が形成され、案内溝が所定の周波数でウォブリングされている光ディスクに関する。
【０００２】
【従来の技術】
図４は、従来の光ディスクの積層構造を示す断面図である（例えば特許文献１）。すなわち、図４に示す光ディスクは、基板２０１上に、第１層目のレイヤー２０２、スペーサー層２０３、第２層目レイヤー２０４、スペーサー層２０５、第３層目のレイヤー２０６、スペーサー層２０７、・・・、第ｎ−１層目のレイヤー２０８、基板２０９が順次積層されて構成されており、レイヤー１からレイヤーｎ−１までの各レイヤーで異なる周波数でウォブリングされており、各層の周波数測定を行うことにより、複数の情報面を持つ多層記録媒体において、どの情報面に光が照射されているかを判断するようになっている。
【０００３】
【特許文献１】
特開２００２−１１７５９１号公報（第１０頁、図１）
【０００４】
【発明が解決しようとする課題】
しかしながら、上述した従来の光ディスクにおいては、１つの記録面に対して１つの周波数でウォブリングされているため、記録すべきデジタルデータを変更するとき、光ディスクの基板の元となるスタンパーのデータをすべて変えなければいけないという問題を有していた。また、ウォブリングしている周波数（以下、ウォブリング周波数又はウォブル周波数）を使用して基準クロックを生成する際に、クロック発生のためのＰＬＬ回路特性を各レイヤーで切り替えなければならないという問題を有していた。
【０００５】
本発明は、上記従来の問題を解決するもので、スタンパーのデータの変更が少なく、データ作成が安易で効率良い優れた光ディスクを提供することを目的とする。
また、基準クロックを生成するＰＬＬの特性を変更する必要の無い優れた光ディスクを提供することを目的とする。
【０００６】
【課題を解決するための手段】
上記問題を解決するために、本発明に係る光ディスクは、読み出し光の入射面が同一である書き換え又は追記可能な複数の記録面を有し、前記複数の記録面上にウォブリングされた案内溝が形成され、前記案内溝がそれぞれの前記記録面毎に複数の周波数でウォブリングされた光ディスクであって、前記案内溝の前記複数の周波数のうちの少なくとも１つの周波数が前記記録面毎に異なるものである。この構成により、スタンパーの変更が少ない優れた光ディスクが得られる。
【０００７】
また、前記複数の周波数のうち、１つの周波数が前記複数の記録面で同一であるよう構成したものである。この構成により、スタンパーの変更が少なく、基準クロックを生成するＰＬＬの特性を変更する必要の無い優れた光ディスクが得られる。
【０００８】
また、前記複数の記録面で同一である前記１つの周波数の変化する長さの単位が１セクターであるよう構成したものである。この構成により、スタンパーの変更がより少なく、基準クロックを生成するＰＬＬの特性を変更する必要の無い優れた光ディスクが得られる。
【０００９】
さらに、前記案内溝のウォブリング周波数を変更する位置が前記複数の記録面で異なるよう構成したものである。この構成により、スタンパーの変更がより少なく、基準クロックを生成するＰＬＬの特性を変更する必要の無い優れた光ディスクが得られる。
【００１０】
【発明の実施の形態】
以下、本発明の実施の形態について図面を参照して説明する。
＜第１の実施の形態＞
図１は、読み出し光の入射面が同一である書き換え又は追記可能な複数の層（以下、層を記録面とも称す）を有し、書き換え又は追記可能な複数の記録面に案内溝が形成され、案内溝が所定の周波数でウォブリングされている光ディスクを示す。すなわち、図１に示す光ディスクは、書き換え又は追記可能な（以下、“書き換え又は追記可能な”という表現を“記録可能な”と記す）第１の層１０１、各層共通の周波数でウォブリングされた第１の案内溝１０２、第１の案内溝１０２とは異なる周波数でウォブリングされた第２の案内溝１０３、記録可能な第２の層１０４、各層共通の周波数でウォブリングされた第３の案内溝１０５、第１及び第２の案内溝１０２及び１０３とは異なる周波数でウォブリングされた第４の案内溝１０６、記録可能な第３の層１０７、各層共通の周波数でウォブリングされた第５の案内溝１０８、第１、第２及び第４の案内溝１０２、１０３及び１０６とは異なる周波数でウォブリングされた第６の案内溝１０９、・・・、記録可能な第ｎの層１１０、各層共通の周波数でウォブリングされた第７の案内溝１１１、第１、第２、第４及び第６の案内溝１０２、１０３、１０６及び１０９とは異なる周波数でウォブリングされた第８の案内溝１１２から構成されている。以下「案内溝」は参照番号を付し、「第１の」などを省略する。
【００１１】
以上のように構成された光ディスクについて、図２を用いてその動作を説明する。まず、第１の層１０１上に光ピックアップ３０１がオントラックした際に読み出される案内溝信号３０２は、各層共通の周波数を持つ部分３０３と各層で異なる周波数を持つ部分３０４の２つから構成される。また、第２の層１０２上に光ピックアップ３０１がオントラックした際に読み出される案内溝信号３０５は、各層共通の周波数を持つ部分３０６と各層で異なる周波数を持つ部分３０７の２つから構成される。この構成をとることにより、部分３０４と部分３０７の周波数成分の違いを認識することで、第１の層１０１と第２の層１０２を判別することができる。
【００１２】
同様にして、第３の層１０３上に光ピックアップ３０１がオントラックした際に読み出される案内溝信号３０８が、各層共通の周波数を持つ部分３０９と各層で異なる周波数を持つ部分３１０の２つから構成されることにより、部分３０４、部分３０７と部分３１０の周波数成分の違いを認識することで、第３の層１０３を判別することができる。
【００１３】
同様にして、第ｎの層１０４上に光ピックアップ３０１がオントラックした際に読み出される案内溝の信号３１１が、各層共通の周波数を持つ部分３１２と各層で異なる周波数を持つ部分３１３の２つから構成されることにより、部分３１３の周波数成分の違いを認識することで、第ｎの層１０４を判別する。
【００１４】
なお、各層で異なる部分の長さについては任意であるが、１セクター又は１ブロックといったデータの最小単位であることが、データの変更上の観点から見て望ましい。
【００１５】
以上のように、本発明の第１の実施の形態によれば、各記録面（各層）で案内溝が複数の周波数でウォブリングされており、記録面上にある複数の周波数のうち、１つの周波数が前記各記録面で異なる案内溝を設けることで、複数の記録面を持つ各層の識別が容易で、スタンパーの変更が少ない優れた光ディスクが得られる。
【００１６】
また、案内溝の複数のウォブリング周波数のうち、１つの周波数が各記録面で同一であるので、スタンパーの変更が少なく、基準クロックを生成するＰＬＬの特性を変更する必要の無い優れた光ディスクが得られる。
【００１７】
さらに、各記録面で同一である周波数の変化する単位が１セクターとすることにより、スタンパーの変更がより少なく、基準クロックを生成するＰＬＬの特性を変更する必要の無い優れた光ディスクが得られる。
【００１８】
＜第２の実施の形態＞
次に、本発明の第２の実施の形態に係る光ディスクについて図３を用いて説明する。なお、光ディスクの構成は図１に示す第１の実施の形態と同様である。まず、光ピックアップ４０１が記録可能な複数の記録面を持つディスク上にフォーカスしている場合において、第１の層１０１にオントラックした際に読み出される案内溝信号４０２は、第１の周波数成分を持つ部分４０３と、第２の周波数成分を持つ部分４０４の２つから構成され、第２の周波数成分を持つ部分４０４の位置は、第１セクターである。以上の構成を持つことにより、第２の周波数成分を持つ部分４０４の位置関係を認識することで、容易に記録可能な第１の層１０１を判別することができる。
【００１９】
また、光ピックアップ４０１が第２の層１０４にオントラックした際に読み出される案内溝信号４０５は、第１の周波数成分を持つ部分４０６と、第２の周波数成分を持つ部分４０７の２つから構成され、第２の周波数成分を持つ部分４０７の位置は、第２セクターであり、この位置関係を認識することで容易に記録可能な第２の層１０４を判別することができる。
【００２０】
同様にして、光ピックアップ４０１が第３の層１０７にオントラックした際に読み出される案内溝信号４０８は、第１の周波数成分を持つ部分４０９と、第２の周波数成分を持つ部分４１０の２つから構成され、第２の周波数成分を持つ部分４１０の位置は、第３セクターであり、位置関係を認識することで容易に記録可能な第３の層１０７を判別することができる。
【００２１】
同様にして、光ピックアップ４０１が第ｎの層１１０にオントラックした際に読み出される案内溝信号４１１は、第１の周波数成分を持つ部分４１２と、第２の周波数成分を持つ部分４１３の２つから構成され、第２の周波数成分を持つ部分４１３の位置は、第ｎセクターであり、位置関係を認識することで容易に記録可能な第ｎの層１１０を判別することができる。なお、各層で異なる部分の長さについては任意であるが、１セクター又は１ブロックといったデータの最小単位であることが、データの変更量の観点から見て望ましい。
【００２２】
以上のように、本発明の第２の実施の形態によれば、読み出し光の入射面が同一である複数の書き換え又は追記可能な記録面を有し、各記録面でウォブリングされた案内溝を有し、案内溝が複数の周波数でウォブリングされた光ディスクであって、案内溝のウォブリング周波数を変更する部分が各記録面で異なることにより、スタンパーの変更がより少なく、基準クロックを生成するＰＬＬの特性を変更する必要の無い優れた光ディスクが得られる。
【００２３】
【発明の効果】
以上のように、本発明によれば、読み出し光の入射面が同一である書き換え又は追記可能な複数の記録面を有し、前記複数の記録面上にウォブリングされた案内溝が形成され、前記案内溝が複数の周波数でウォブリングされた光ディスクであって、前記案内溝のウォブリング周波数を前記各記録面で異ならせることにより、スタンパーの変更が少ない優れた光ディスクが得られる。
【００２４】
また、案内溝の複数のウォブリング周波数のうち、１つの周波数を前記各記録面で同一とする、又は案内溝のウォブリング周波数を変更する部分を各記録面で異ならせることにより、スタンパーの変更がより少なく、基準クロックを生成するＰＬＬの特性を変更する必要の無い優れた光ディスクが得られる。
【図面の簡単な説明】
【図１】本発明の第１の実施の形態に係る光ディスクを示す図
【図２】本発明の第１の実施の形態に係る光ディスクの動作説明のための、記録可能な複数の記録面を持つ光ディスクの各記録面にオントラックした場合の信号を示す図
【図３】本発明の第２の実施の形態に係る光ディスクの動作説明のための、記録可能な複数の記録面を持つ光ディスクの各記録面にオントラックした場合の信号を示す図
【図４】従来の光ディスクの積層構造を示す断面図
【符号の説明】
１０１  記録可能な第１の層
１０２  第１の案内溝
１０３  第２の案内溝
１０４  記録可能な第２の層
１０５  第３の案内溝
１０６  第４の案内溝
１０７  記録可能な第３の層
１０８  第５の案内溝
１０９  第６の案内溝
１１０  記録可能な第ｎの層
１１１  第７の案内溝
１１２  第８の案内溝
【図１】
2004185664.tif 000003
【図２】
2004185664.tif 000004
【図３】
2004185664.tif 000005
【図４】
2004185664.tif 000006